(57)【特許請求の範囲】
【請求項１】
電子機器からの電磁放射を測定する電磁放射測定装置において、
金属の板状部材の上側で、前記板状部材の上面に対して垂直な方向を軸として前記電子機器を回転させる回転駆動手段と、
前記電子機器からの電磁放射を検出する検出手段と、
前記検出手段を前記板状部材の上面に対して垂直な方向に移動させる垂直駆動手段と、
前記検出手段の検出信号を基に周波数ごとの電界強度を測定する電界強度測定手段と、
前記回転駆動手段に前記電子機器を所定の角度ずつ回転させて停止させ、前記電子機器の回転が停止されるごとに、前記垂直駆動手段に前記検出手段を所定の高さ範囲内で移動させるとともに、前記検出手段の移動中に前記電界強度測定手段に前記検出信号を連続的に受信させ、移動中における周波数ごとの最大電界強度を前記電子機器の回転停止ごとの測定結果として出力させる測定制御手段と、
を有し、
前記所定の角度は、前記検出手段の指向特性において、測定対象とする上限周波数の電界強度の検出レベルが一定値以上となる角度に設定されることを特徴とする電磁放射測定装置。
【請求項２】
前記測定制御手段は、前記回転駆動手段に前記電子機器を第１の角度ずつ３６０度分だけ回転させ、前記電界強度測定手段に前記電子機器の回転停止ごとの前記測定結果を出力させた後、出力された前記測定結果に基づき、強い電磁放射が測定された角度の範囲だけ、前記回転駆動手段に前記電子機器を前記第１の角度より小さい第２の角度ずつ回転させ、前記電界強度測定手段に前記電子機器の回転停止ごとの前記測定結果を出力させることを特徴とする請求項１記載の電磁放射測定装置。
【請求項３】
電子機器からの電磁放射を測定する電磁放射測定方法において、
金属の板状部材の上側で、回転駆動手段が、前記板状部材の上面に対して垂直な方向を軸として前記電子機器を所定の角度ずつ回転駆動し、
前記電子機器の回転が停止されるごとに、垂直駆動手段が、前記電子機器からの電磁放射を検出する検出手段を前記板状部材の上面に対して垂直な方向に所定の高さ範囲内で移動させ、
電界強度測定手段が、前記検出手段の移動中に前記検出手段からの検出信号を連続的に受信して、移動中における周波数ごとの最大電界強度を前記電子機器の回転停止ごとの測定結果として出力する、
処理を含み、
前記所定の角度は、前記検出手段の指向特性において、測定対象とする上限周波数の電界強度の検出レベルが一定値以上となる角度に設定されることを特徴とする電磁放射測定方法。
【発明の詳細な説明】
【０００１】
【発明の属する技術分野】
本発明は、主に電子機器等からの電磁放射の強度を測定する電磁放射測定装置および電磁放射測定方法に関し、特に１ＧＨｚ以上の電磁放射測定に適した電磁放射測定装置および電磁放射測定方法に関する。
【０００２】
【従来の技術】
各種の電子機器およびシステムの中で発生する電磁ノイズは，空間に放射されて他の機器の機能を妨害することがあるため、近年、このような電磁放射（Radiated Emission）発生の抑制と妨害排除能力の向上による電磁的両立性，すなわちＥＭＣ（Electro-Magnetic Compatibility）に対する注目度が高まっている。このような電磁放射の測定方法としては、ＡＮＳＩ（American National Standards Institute）による測定規格に基づいた以下のようなものが知られている。
【０００３】
図１１に従来の電磁放射の測定方法例を概念的に示す。図１１（ａ）はスパイラル状のサンプリングによる方法、（ｂ）は輪切り状のサンプリングによる方法を示している。
【０００４】
この測定方法は通常、電波暗室内で行われ、測定対象である機器（以下ＥＵＴ：Equipment Under Testと称する）１０２はターンテーブル１０５上に載置される。このターンテーブル１０５を５ｒｐｍ以上の速度で３６０ｄｅｇ回転させ、アンテナ１０３を高さ１〜４ｍの範囲で垂直方向に移動しながら受信を行い、電磁放射の電界強度の最大値を得ることによって測定する。この測定は、図１１で概念的に示したように、ターンテーブル１０５を中心にした円筒面１０５ａの表面をアンテナ１０３によってスキャンしている状況とほぼ同等と考えられる。例えば、ターンテーブル１０５を回転させながらアンテナ１０３を垂直方向に移動した場合は、図１１（ａ）のようにスパイラル状に連続的にサンプリングされ、アンテナ１０３の高さを一定間隔で保持した場合は、図１１（ｂ）のように一定高さごとに輪切り状にサンプリングされることになる。そして、このような測定による最大測定値が規定の値を超えている場合、不適合の判定がされる。
【０００５】
【発明が解決しようとする課題】
ところで、１ＧＨｚ以上の電磁放射では、電波暗室の底面である金属製のグランドプレーンによる反射波等の影響で、電磁波が非常に細かいハイトパターンを描く。図１２に３ＧＨｚの水平偏波によるハイトパターンの例を、また図１３に５ＧＨｚの水平偏波によるハイトパターンの例をそれぞれ示す。
【０００６】
図１２および図１３のように、これらの電磁放射では電界値のピークが垂直方向に対して細かく表れるため、上述したようなターンテーブル１０５を５ｒｐｍ以上という高速で回転させて周波数ごとの最大放射レベルを得る測定方法では、最大のピークポイントを見逃して正確に測定されない可能性が高い。
【０００７】
この点をふまえ、ＡＮＳＩでは１ＧＨｚ以上の測定について、以下のような測定方法を経験的な手法として記し、その測定に注意を促している。例えば、ホーンアンテナをＥＵＴ付近に近づけて強くノイズが放射されている方向を見極めた後に、その範囲についてアンテナを規定の高さずつ変化させて測定する。
【０００８】
しかし、この測定方法では、ノイズ放射の強い範囲の見極めや角度探しに非常に時間がかかってしまう。例えば、この測定の熟練者で４０分以上、ＥＵＴ１０２の設計者による測定では１時間以上を要することが一般的であり、時間短縮のためには複数の作業者を必要とする。また、高さ方向はビーム特性が鋭く、測定スキルを持たない設計者にはピーク値を見逃し、正確に測定されない可能性が高い。
【０００９】
本発明はこのような課題に鑑みてなされたものであり、１ＧＨｚ以上の電磁放射を正確に、かつ短時間で測定可能な電磁放射測定装置を提供することを目的とする。
【００１０】
また、本発明の他の目的は、１ＧＨｚ以上の電磁放射を正確に、かつ短時間で測定可能な電磁放射測定方法を提供することである。
【００１１】
【課題を解決するための手段】
本発明では上記課題を解決するために、電子機器からの電磁放射を測定する電磁放射測定装置において、金属の板状部材の上側で、前記板状部材の上面に対して垂直な方向を軸として前記電子機器を回転させる回転駆動手段と、前記電子機器からの電磁放射を検出する検出手段と、前記検出手段を前記板状部材の上面に対して垂直な方向に移動させる垂直駆動手段と、前記検出手段の検出信号を基に周波数ごとの電界強度を測定する電界強度測定手段と、前記回転駆動手段に前記電子機器を所定の角度ずつ回転させて停止させ、前記電子機器の回転が停止されるごとに、前記垂直駆動手段に前記検出手段を所定の高さ範囲内で移動させるとともに、前記検出手段の移動中に前記電界強度測定手段に前記検出信号を連続的に受信させ、移動中における周波数ごとの最大電界強度を前記電子機器の回転停止ごとの測定結果として出力させる測定制御手段と、を有し、前記所定の角度は、前記検出手段の指向特性において、測定対象とする上限周波数の電界強度の検出レベルが一定値以上となる角度に設定されることを特徴とする電磁放射測定装置が提供される。
【００１２】
このような電磁放射測定装置では、測定制御手段の制御によって、電子機器が回転駆動手段により所定の角度ずつ回転され、回転停止ごとに垂直駆動手段によって検出手段が垂直方向に移動されて連続的に電磁放射が検出される。そして、移動中における周波数ごとの最大電界強度が、電子機器の回転停止ごとの測定結果として電界強度測定手段から出力される。また、電子機器を回転させてから停止させるまでの回転角度は、検出手段の指向特性において、測定対象とする上限周波数の電界強度の検出レベルが一定値以上となる角度に設定される。
【００１３】
また、本発明では、電子機器からの電磁放射を測定する電磁放射測定方法において、金属の板状部材の上側で、回転駆動手段が、前記板状部材の上面に対して垂直な方向を軸として前記電子機器を所定の角度ずつ回転駆動し、前記電子機器の回転が停止されるごとに、垂直駆動手段が、前記電子機器からの電磁放射を検出する検出手段を前記板状部材の上面に対して垂直な方向に所定の高さ範囲内で移動させ、電界強度測定手段が、前記検出手段の移動中に前記検出手段からの検出信号を連続的に受信して、移動中における周波数ごとの最大電界強度を前記電子機器の回転停止ごとの測定結果として出力する、処理を含み、前記所定の角度は、前記検出手段の指向特性において、測定対象とする上限周波数の電界強度の検出レベルが一定値以上となる角度に設定されることを特徴とする電磁放射測定方法が提供される。
【００１４】
このような電磁放射測定方法では、電子機器が所定の角度ずつ回転され、回転停止ごとに垂直方向に所定の高さ範囲内で連続的に電磁放射が検出される。そして、移動中における周波数ごとの最大電界強度が、電子機器の回転停止ごとの測定結果として出力される。また、電子機器を回転させてから停止させるまでの回転角度は、検出手段の指向特性において、測定対象とする上限周波数の電界強度の検出レベルが一定値以上となる角度に設定される。
【００１５】
【発明の実施の形態】
以下、本発明の実施の形態を図面を参照して説明する。
図１は本発明の電磁放射測定装置の主な構成を示すブロック図である。
【００１６】
電磁放射測定装置１は、測定対象である電子機器２を任意の角度ずつ回転させ、回転停止ごとの各周波数についての最大放射レベルを測定し、この測定値から電子機器２から放射される最大電界強度や、メインローブの方向性を求める。電磁放射測定装置１は、電子機器２からの電磁放射を検出する検出手段３と、検出手段３を垂直方向に移動させる垂直駆動手段４と、載置された電子機器２を回転駆動する回転駆動手段５と、検出手段３の検出信号により電磁放射の電界強度を測定する電界強度測定手段６と、電界強度測定手段６からの出力データを解析して所定の測定結果を出力するデータ解析手段７と、垂直駆動手段４および回転駆動手段５の駆動と、電界強度測定手段６の測定、データ出力およびデータ解析手段７の解析処理を制御する測定制御手段８と、によって構成される。
【００１７】
電子機器２、検出手段３、垂直駆動手段４および回転駆動手段５は通常、電波暗室内に設置され、検出手段３はアンテナ等である。電界強度測定手段６は検出手段３による検出信号を周波数成分ごとに解析して周波数スペクトルを出力するスペクトラムアナライザ等で構成され、電波暗室の床下スペース等に設置される。また、データ解析手段７および測定制御手段８は、例えば電波暗室の外部に設置されたコンピュータの記憶装置にプログラムとして格納され、このプログラムが実行されることによって実現される。
【００１８】
この電磁放射測定装置１による測定では、測定制御手段８による制御のもとに、回転駆動手段５によって電子機器２が所定の角度ずつ３６０ｄｅｇまで回転され、各角度での回転停止状態において、検出手段３が垂直駆動手段４によって所定の高さ範囲内を垂直駆動され、検出手段３が駆動される間に連続的に検出を行うことで、電子機器２の周囲のほぼ全方向にわたって電磁放射が自動的に検出される。電界強度測定手段６は、検出手段３からの検出信号から電界強度の最大値を周波数ごとに記録して、各角度での回転停止ごとにこの電界強度の最大値による周波数スペクトルをデータ解析手段７に送出する。データ解析手段７はこの周波数スペクトルのデータを解析して、電子機器２の全周にわたる電界強度の最大値を記録した周波数スペクトルや、電界強度の水平方向の指向特性を表すレーダチャート等を出力する。
【００１９】
なお、回転駆動手段５の停止時から次の停止時までの回転角度は、検出手段３の検出指向特性より適切に設定される。また、電界強度測定手段６は、例えば検出手段３による検出信号のロスを最小限にするため、検出手段３との間に接続されるＲＦ（Radio Frequency）アンプとともに、電波暗室のグランドプレーン下に設置され、電界強度測定手段６からデータ解析手段７へのデータ送信は遅延のないように、同軸ケーブル、光ファイバーおよび高速通信に対応した中継機器等を介して行われる。さらに、電界強度測定手段６で生成された周波数スペクトルのデータがデータ解析手段７に送信されている間に、回転駆動手段５によって電子機器２が回転されるように測定制御手段８が制御することによって、測定時間が短縮される。
【００２０】
次に、図２に本発明の電磁放射測定装置１の機器配置例を示す。
電磁放射測定装置１は、電波暗室２０を用いた一般的な自動測定システムをベースとして実現することができる。図２のように、周囲に電波吸収体２６が設けられた電波暗室２０の内部には、金属製のグランドプレーン２１上にターンテーブル２５とアンテナポジショナー２４が設置され、電子機器等のＥＵＴ２２はターンテーブル２５の上に載置されて回転駆動される。また、ＥＵＴ２２の動作中の電磁放射はアンテナ２３によって検出され、アンテナ２３はアンテナポジショナー２４によって垂直方向に駆動され、移動可能となっている。アンテナ２３はＲＦアンプ３１を介してスペクトラムアナライザ３２に接続されるが、このＲＦアンプ３１およびスペクトラムアナライザ３２は、アンテナ２３の検出信号の伝送ロスを最小限にするため、アンテナ２３の直下でグランドプレーン２１の下に設けられたピット３０内に設置される。
【００２１】
アンテナポジショナー２４およびターンテーブル２５の駆動は、電波暗室２０の外部の測定室４０内に設置されたコンピュータ４１の測定プログラムによって制御される。電磁放射の測定は、ターンテーブル２５を所定の角度ごとに回転させて停止させ、この回転停止時にアンテナポジショナー２４によってアンテナ２３を垂直方向に所定の高さ範囲を移動させ、この移動中に検出した検出信号がスペクトラムアナライザ３２に送出される。例えば、ＥＵＴ２２がグランドプレーン２１から８０ｃｍの位置に配置されるとき、アンテナ２３は１ｍ〜４ｍの範囲を移動して検出を行う。
【００２２】
図３にアンテナ２３の電磁放射の受信方法ついて概念的に示す。
アンテナ２３による検出は、図３のようにターンテーブル２５を中心にした円筒面２５ａの表面をアンテナ２３によって垂直方向にスキャンしている状況とほぼ同等と考えられる。ターンテーブル２５を角度ステップ２５ｂごとに矢印２５ｃの方向に回転し、回転停止時にアンテナ２３を垂直方向に移動させることによって、アンテナ２３によって円筒面２５ａの表面を矢印２５ｄの部分がスキャンされる。ターンテーブル２５が３６０ｄｅｇ回転されることによって、円筒面２５ａの全周にわたって測定が行われる。
【００２３】
ところで、この電磁放射の測定環境では、水平面には金属であるグランドプレーン２１が存在するが、垂直面にはＥＵＴ２２の電源コードやアンテナ２３に接続される同軸ケーブル、相互接続された機器類以外に強い電波反射物がなく、電磁放射の水平偏波の指向性は垂直偏波に比べて広くなる。このことから上記測定で、円筒面２５ａの矢印２５ｃ方向（円周方向）については、必要とされる角度ごとのみでの測定を行うこととしている。この回転の角度ステップ２５ｂは、測定周波数の上限や、ＥＵＴ２２の構造、アンテナ２３の指向特性等に応じて設定される。
【００２４】
以上のように検出された電磁放射は、ＲＦアンプ３１を介してスペクトラムアナライザ３２に送出される。スペクトラムアナライザ３２では、検出信号から電界強度の周波数スペクトルが算出される。この周波数スペクトルは、コンピュータ４１の測定プログラムによりターンテーブル２５の回転停止ごとに算出され、このとき各周波数の電界強度の最高値が記録されるようになっている。この回転停止ごとに算出された周波数スペクトルは、測定プログラムの制御によってコンピュータ４１に送出され、所定のデータ解析が行われる。
【００２５】
ここで、図４に測定制御系統の装置構成例を示す。
電磁放射測定装置１の測定制御系統では、例えば測定機器接続の標準規格であるＧＰＩＢ（General Purpose Interface Bus）を使用し、測定室４０に設置されたコンピュータ４１からの制御信号やデータの伝送路は、ＧＰＩＢボード４１ａを介する高速伝送系４１１と、ＧＰＩＢボード４１ｂを介する低速伝送系４１２の２系統を設けている。
【００２６】
コンピュータ４１とスペクトラムアナライザ３２との間は高速伝送系４１１によって接続される。これは、スペクトラムアナライザ３２より送出されるデータ量が大きいためで、スペクトラムアナライザ３２とコンピュータ４１との距離に応じて、規定長さ以上の場合はデータエラーを防ぐためにＧＰＩＢエクステンダ３３および４２によって中継させる。スペクトラムアナライザ３２とＧＰＩＢエクステンダ３３および４２とＧＰＩＢボード４１ａとは、それぞれ同軸ケーブルによって接続し、ＧＰＩＢエクステンダ３３および４２の間は光ファイバーによって接続して、高速通信に対応させるとともに電波暗室２０のシールド特性が悪化するのを防止する。なお、スイッチマトリクス３４はアンテナ２３との接続を所定の周波数帯域ごとに行うもので、同軸ケーブルによって接続される。
【００２７】
一方、ＧＰＩＢボード４１ｂには、ターンテーブル２５の回転駆動角度を制御するターンテーブルコントローラ４３、アンテナポジショナー２４の高さ制御を行うアンテナポジションコントローラ４４、測定前に各機器に確認信号を送出して動作確認を行う信号発振器４５、および１ＧＨｚ以下の電磁放射を測定するＥＭＩレシーバ４６が、通常のＧＰＩＢケーブルによって接続され、これらは例えば測定室４０に設置される。
【００２８】
次に、測定データの解析について説明する。図５にスペクトラムアナライザ３２の測定結果の例を示す。図５（ａ）はターンテーブル２５の回転角度が０ｄｅｇのとき、（ｂ）は２０ｄｅｇのとき、（ｃ）は４０ｄｅｇのときを示す。また、図６に第１の解析結果例である全体の電界強度測定結果の周波数スペクトルを示す。さらに、図７に第２の解析結果例であるレーダチャートを示す。
【００２９】
図５では、スペクトラムアナライザ３２による測定結果の例として、ターンテーブル２５の回転が０ｄｅｇ、２０ｄｅｇおよび４０ｄｅｇのとき、アンテナ２３を１〜４ｍの高さ範囲で移動させた場合の周波数スペクトル５１、５２および５３が示している。前述したように、これらの測定値は各回転角度での電界強度の最大値が記録されている。この測定データはコンピュータ４１に送出され、測定プログラムによって解析される。
【００３０】
第１の解析結果としては、図６に示すようにすべての回転角度における最大値を記録した周波数スペクトル６１が得られる。このデータにより、ＥＵＴ２２の発生する電磁放射の最大電界強度が周波数ごとに求められ、ＥＵＴ２２の電磁放射特性の適正判断が行われる。また第２の解析結果としては、例えば図５の同周波数である点５１ａ、５２ａおよび５３ａの値より、図７のように各回転角度における電界強度を周波数ごとに記録したレーダチャート７１が得られる。このレーダチャート７１より電磁放射の周波数ごとの指向特性か表され、矢印７１ａで示されたメインローブの方向が明確になり、電波シールドの効果が弱い部分を容易に特定することができる。
【００３１】
次に、図８に電磁放射測定の処理の流れを示す。
コンピュータ４１の記憶装置に格納された測定プログラムが実行されると、まず、スペクトラムアナライザ３２に制御信号が送出され、分解能、リファレンスレベル、周波数、スイープタイム等の基本設定が行われる（Ｓ８１）。次に、ターンテーブルコントローラ４３およびアンテナポジションコントローラ４４に制御信号が送出され、ターンテーブル２５の角度が０ｄｅｇに、アンテナ２３の位置がグランドプレーン２１から１ｍになるように設定の初期化が行われる（Ｓ８２）。
【００３２】
次にスペクトラムアナライザ３２の測定モードが、測定値の最大値を常に記録していく「Ｍａｘ  Ｈｏｌｄ」に設定され（Ｓ８３）、アンテナポジションコントローラ４４に制御信号が送出されて、アンテナポジショナー２４によってアンテナ２３が目標値の高さ４ｍとなるまで高速に駆動され（Ｓ８４）、検出信号がスペクトラムアナライザ３２に送出される。アンテナポジショナー２４が目標の位置まで到達すると、アンテナポジションコントローラ４４よりコンピュータ４１に実行完了を示す制御信号が送出され、コンピュータ４１はこれを受信すると（Ｓ８５）、スペクトラムアナライザ３２の測定モードを周波数スペクトルを出力する「Ｖｉｅｗ」モードに設定し（Ｓ８６）、スペクトラムアナライザ３２で算出された周波数スペクトルのデータをコンピュータ４１内に取り込まれる（Ｓ８７）。また、これと並行して、ターンテーブルコントローラ４３に制御信号を送出し、ターンテーブル２５は例えば１０ｄｅｇのように設定された角度ステップ分だけ回転される（Ｓ８８）。
【００３３】
コンピュータ４１に取り込まれた周波数スペクトルのデータは、測定プログラムにより解析されて、電界強度や指向性を示すグラフがコンピュータ４１の表示装置により表示、あるいはプリンタによる印刷等によって出力される（Ｓ８９）。ここで、コンピュータ４１にターンテーブルコントローラ４３より実行完了信号が送出されると、ターンテーブル２５が３６０ｄｅｇ分回転していない場合は（Ｓ９０）、スペクトラムアナライザ３２の測定モードを、測定済みデータをクリアーする「Ｃｌｅａｒ  Ｗｒｉｔｅ」にした後、再び「Ｍａｘ  Ｈｏｌｄ」に設定する（Ｓ９１）。この後、アンテナポジショナー２４が駆動されて（Ｓ８４）、アンテナ２３が高さ４ｍから１ｍの位置まで移動され、電磁放射が検出される。以下、このようにターンテーブル２５の回転とアンテナ２３の移動が繰り返され、ターンテーブル２５の回転が３６０ｄｅｇ分終了している場合は（Ｓ９０）測定が終了となる。
【００３４】
次に、このような測定に必要な時間を概算する。
一般に１ＧＨｚ以上の電磁放射の測定はホーンアンテナによって行われ、上記の測定におけるアンテナ２３としても使用することができる。図９および図１０にホーンアンテナの指向特性の例を示す。図９は検出波が１ＧＨｚの場合、図１０は５ＧＨｚの場合である。
【００３５】
このホーンアンテナの例では、図９のように検出波が１ＧＨｚの場合は３ｄＢピークが４０ｄｅｇ程度であるのに対し、図１０のように５ＧＨｚの場合は１０ｄｅｇ程度である。したがって上記の測定においては。ターンテーブル２５の回転する角度ステップ２５ｂがこの角度以下であれば、円筒面２５ａの全周にわたって検出範囲をカバーすることが可能であり、例えば上限周波数が５ＧＨｚのコンピュータ等の機器の測定は、回転角度ステップを１０ｄｅｇ程度として行うのが妥当である。
【００３６】
以上を考慮して、ここでは回転角度ステップを５ｄｅｇとした場合の測定時間を概算する。回転角度ステップを５ｄｅｇ、アンテナ２３の昇降範囲を１〜４ｍ、３０ｃｍ／ｓの速度でアンテナ２３の１角度ステップあたりの昇降時間が１５ｓｅｃ、スペクトラムアナライザ３２のデータ送信時間が２ｓｅｃで、測定周波数を分割しない場合、トータルの測定時間は
測定時間＝（２＋１５）＊３６０／５＝１２２４（ｓｅｃ）
で、約２０分となる。従来の測定方法では測定の熟練者で約４０分以上の時間が必要であったので、上記の測定によって測定時間がほぼ半減され、しかも測定者のＧＨｚ帯の電磁放射に対する知識や測定スキルに関わらず、このような短時間で信頼性の高い測定データを得ることが可能となる。
【００３７】
また、上記の測定では測定装置の規格通りの範囲で測定することを前提としていたが、現実の電磁放射とアンテナ２３の指向性を考慮すると、以下のような方法で測定することができ、測定効率を高めることが可能となる。まず、ＥＵＴ２２をグランドプレーン２１から８０ｃｍの高さのとき、アンテナ２３を例えば４ｍのような高い位置とすると、もしメインローブの方向が合致していたとしても、このような高い位置ではアンテナ２３の感度が約１０ｄＢ以上低下してしまって電磁放射を良好にとらえることはできない。そこで、一般的に測定高さ範囲を１〜２．５ｍの範囲とする。次に、回転角度ステップをやや大きめにして、ＥＵＴ２２の周囲３６０ｄｅｇを大まかに測定し、その中で強い電磁放射が測定された角度の範囲について、回転角度ステップを小さくして詳細な測定を行う。
【００３８】
この測定に必要な時間を概算する。最初の大まかな測定時の回転角度ステップが２０ｄｅｇ、その後の特定範囲の測定時の回転角度ステップが５ｄｅｇ、アンテナ２３の昇降範囲が１〜２．５ｍ、１角度ステップあたりの昇降時間が５ｓｅｃ、スペクトラムアナライザ３２のデータ送信時間が２ｓｅｃのとき、
測定時間＝全体測定＋特定範囲への移動時間（最大）＋特定範囲測定
＝（５＋２）＊３６０／２０＋８＋（５＋２）＊２０／５
＝１６２（ｓｅｃ）
で約３分となり、従来方法の約１／１０以下の時間で効率のよい測定が可能となる。
【００３９】
【発明の効果】
以上説明したように、本発明の電磁放射測定装置では、電磁放射が最大となる場所を見逃すことがなく、電磁放射測定を高精度かつ短時間で行うことができる。
【００４０】
また、本発明の電磁放射測定方法では、電磁放射が最大となる場所を見逃すことがなく、電磁放射測定を高精度かつ短時間で行うことができる。
【図面の簡単な説明】
【図１】本発明の電磁放射測定装置の主な構成を示すブロック図である。
【図２】本発明の電磁放射測定装置の機器配置例を示す図である。
【図３】アンテナによる電磁放射の検出方法について概念的に示す図である。
【図４】測定制御系統の装置構成例を示す図である。
【図５】スペクトラムアナライザによる測定結果の例を示す図であり、（ａ）はターンテーブルの回転角度が０ｄｅｇのとき、（ｂ）は２０ｄｅｇのとき、（ｃ）は４０ｄｅｇのときをそれぞれ示す。
【図６】第１の解析結果例である全体の電界強度測定結果の周波数スペクトルを示す図である。
【図７】第２の解析結果例であるレーダチャートを示す図である。
【図８】電磁放射測定の処理の流れを示す図である。
【図９】検出波が１ＧＨｚの場合のホーンアンテナの指向特性例を示す図である。
【図１０】検出波が５ＧＨｚの場合のホーンアンテナの指向特性例を示す図である。
【図１１】従来の電磁放射の測定方法例を概念的に示す図であり、（ａ）はスパイラル状のサンプリングによる方法、（ｂ）は輪切り状のサンプリングによる方法を示す。
【図１２】３ＧＨｚの水平偏波によるハイトパターンの例を示す図である。
【図１３】５ＧＨｚの水平偏波によるハイトパターンの例を示す図である。
【符号の説明】
１……電磁放射測定装置、２……電子機器、３……検出手段、４……垂直駆動手段、５……回転駆動手段、６……電界強度測定手段、７……データ解析手段、８……測定制御手段、２０……電波暗室、２１……グランドプレーン、２２……ＥＵＴ、２３……アンテナ、２４……アンテナポジショナー、２５……ターンテーブル、２６……電波吸収体、３０……ピット、３１……ＲＦアンプ、３２……スペクトラムアナライザ、４０……測定室、４１……コンピュータ
【図１】
0004586240.tif 000002
【図２】
0004586240.tif 000003
【図３】
0004586240.tif 000004
【図４】
0004586240.tif 000005
【図５】
0004586240.tif 000006
【図６】
0004586240.tif 000007
【図７】
0004586240.tif 000008
【図８】
0004586240.tif 000009
【図９】
0004586240.tif 000010
【図１０】
0004586240.tif 000011
【図１１】
0004586240.tif 000012
【図１２】
0004586240.tif 000013
【図１３】
0004586240.tif 000014